(57)【要約】【課題】乗員の頭部や胸部を十分に保護することで、さらなる安全性を向上させた乗員保護装置を提供すること。【解決手段】ＥＣＵ２０１は、第２の衝突形態（例えば、斜突）を検知すると、ニーエアバッグ袋体１２２ｂと、衝突方向に応じて、ニーエアバッグ袋体１２２ａまたはニーエアバッグ袋体１２２ｃとを展開する。そして、ニーエアバッグ袋体１２２ａ、ニーエアバッグ袋体１２２ｃには、上方突出部１２２Ｔが形成されており、上方に展開する上体エアバッグ袋体１１２を上方突出部１２２Ｔに当接させることにより、上体エアバッグ袋体１１２を衝突荷重が作用する方向に移動させるようにした。【選択図】図４
2020152300.tif 000002
【特許請求の範囲】
【請求項１】
乗員に対して車両前方から展開する第１エアバッグと、
前記第１エアバッグの下方に設けられ、乗員に対して展開する第２エアバッグと、
車両の衝突または衝突予測を検知し、衝突形態を検知する衝突形態検知装置と、
を備える車両の乗員保護装置であって、
前記衝突形態検知装置は、
第１の衝突形態と、当該第１の衝突形態よりも車幅方向外側に衝突荷重が作用する第２の衝突形態と、を検知することが可能であって、
前記第２エアバッグは、
前記第１の衝突形態が検知されると第１の展開形態にて展開し、前記第２の衝突形態が検知されると前記第１の展開形態とは異なる第２の展開形態にて展開し、
前記第２の展開形態では、当該第２エアバッグで前記第１エアバッグを衝突荷重が作用する方向に誘導する、
ことを特徴とする車両の乗員保護装置。
【請求項２】
前記第１エアバッグは、展開したときの形状が、車両平面視で多角形状である、
ことを特徴とする請求項１に記載の車両の乗員保護装置。
【請求項３】
前記第２エアバッグは、前記第１エアバッグを衝突荷重が作用する方向に誘導するための傾斜部が設けられている、
ことを特徴とする請求項１または請求項２に記載の車両の乗員保護装置。
【請求項４】
前記第２エアバッグは、上方に突出する上方突出部を有し、
前記上方突出部で前記第１エアバッグを衝突荷重が作用する方向に誘導する、
ことを特徴とする請求項１乃至請求項３のいずれか一項に記載の車両の乗員保護装置。
【請求項５】
前記第２エアバッグは、後方に突出する後方突出部を有し、
前記後方突出部で前記第１エアバッグを衝突荷重が作用する方向に誘導する、
ことを特徴とする請求項１乃至請求項３のいずれか一項に記載の車両の乗員保護装置。
【請求項６】
前記第２エアバッグは、複数のサブエアバッグを有し、
前記第１の展開形態では、複数のサブエアバッグのうちの第１サブエアバッグを展開し、
前記第２の展開形態では、複数のサブエアバッグのうちの第１サブエアバッグと第２サブエアバッグとを展開し、
展開した前記第２サブエアバッグで前記第１エアバッグを衝突荷重が作用する方向に誘導する、
ことを特徴とする請求項１乃至請求項５のいずれか一項に記載の車両の乗員保護装置。
【請求項７】
前記第２の展開形態では、車幅方向において、衝突荷重が作用する方向とは逆方向に設けられた前記第２サブエアバッグを展開する、
ことを特徴とする請求項６に記載の車両の乗員保護装置。
【発明の詳細な説明】
【技術分野】
【０００１】
本発明は、乗員保護装置に関する。
【背景技術】
【０００２】
衝突等から乗員を保護するため、自動車などの車両では、乗員保護装置としてエアバッグ装置が装備されている。
このエアバッグ装置は、一般に、衝撃センサと、インフレータと、エアバッグと、制御装置等、から構成されている。エアバッグ装置は、前面衝突などにより衝撃センサが衝撃を検知すると、検知信号を制御装置に出力し、制御装置が作動信号をインフレータに送出して、インフレータがガスを発生させてエアバッグに送出する。そして、エアバッグは、インフレータからのガスにより瞬時に膨らみ、乗員の前方に展開する。これにより、エアバッグは、内部のガス圧によって衝撃により前方へ移動する乗員の身体を受け止めて、その運動エネルギーを吸収しながら収縮する。このようにして、自動車の前面衝突等における、衝突の衝撃による乗員の急激な前方移動がエアバッグにより緩和され、乗員の安全が確保される。
【０００３】
また、このような従来のエアバッグ装置では、乗員を十分に保護するために、乗員の上半身の前方に膨張するエアバッグと、乗員の脚部の前方に膨張するニーバッグとを組み合わせて用いるものが広く知られており、特許文献１では、膨張したニーバッグの上端を、膨張したエアバッグの下端よりも５０ｍｍ以上上方に位置させることで、膨張したニーバッグの上端部と膨張したエアバッグの下端部とを車両前後方向に重なり合わせるようにしている。
これにより、膨張したニーバッグの上端部と乗員との間にエアバッグの下端部を入り込ませることができ、エアバッグの下端部が乗員により押圧されても、エアバッグの退動を抑制でき、乗員の腰部が前方に移動してしまうことを防止できる。
【先行技術文献】
【特許文献】
【０００４】
【特許文献１】特開２００３−３４２１５号公報
【発明の概要】
【発明が解決しようとする課題】
【０００５】
上記特許文献１によれば、乗員の腰部が前方に移動してしまうことを防止できるものの、車両の衝突形態（例えば、斜め衝突）によっては、乗員の頭部や胸部を十分に保護できず、さらなる安全性の向上という観点では、改善の余地があった。
【０００６】
本発明は、このような従来の問題を解決するためになされたもので、乗員の頭部や胸部を十分に保護することで、さらなる安全性を向上させた乗員保護装置を提供することを目的とする。
【課題を解決するための手段】
【０００７】
本発明に係る乗員保護装置は、乗員に対して車両前方から展開する第１エアバッグと、前記第１エアバッグの下方に設けられ、乗員に対して展開する第２エアバッグと、車両の衝突または衝突予測を検知し、衝突形態を検知する衝突形態検知装置と、を備える車両の乗員保護装置であって、前記衝突形態検知装置は、第１の衝突形態と、当該第１の衝突形態よりも車幅方向外側に衝突荷重が作用する第２の衝突形態と、を検知することが可能であって、前記第２エアバッグは、前記第１の衝突形態が検知されると第１の展開形態にて展開し、前記第２の衝突形態が検知されると前記第１の展開形態とは異なる第２の展開形態にて展開し、前記第２の展開形態では、当該第２エアバッグで前記第１エアバッグを衝突荷重が作用する方向に誘導する、ことを特徴とする。
【０００８】
また、本発明に係る乗員保護装置は、前記第１エアバッグは、展開したときの形状が、車両平面視で多角形状である、ようにしてもよい。
【０００９】
さらに、本発明に係る乗員保護装置は、前記第２エアバッグは、前記第１エアバッグを衝突荷重が作用する方向に誘導するための傾斜部が設けられている、ようにしてもよい。
【００１０】
さらに、本発明に係る乗員保護装置は、前記第２エアバッグは、上方に突出する上方突出部を有し、前記上方突出部で前記第１エアバッグを衝突荷重が作用する方向に誘導する、ようにしてもよい。
【００１１】
さらに、本発明に係る乗員保護装置は、前記第２エアバッグは、後方に突出する後方突出部を有し、前記後方突出部で前記第１エアバッグを衝突荷重が作用する方向に誘導する、ようにしてもよい。
【００１２】
さらに、本発明に係る乗員保護装置は、前記第２エアバッグは、複数のサブエアバッグを有し、前記第１の展開形態では、複数のサブエアバッグのうちの第１サブエアバッグを展開し、前記第２の展開形態では、複数のサブエアバッグのうちの第１サブエアバッグと第２サブエアバッグとを展開し、展開した前記第２サブエアバッグで前記第１エアバッグを衝突荷重が作用する方向に誘導する、ようにしてもよい。
【００１３】
さらに、本発明に係る乗員保護装置は、前記第２の展開形態では、車幅方向において、衝突荷重が作用する方向とは逆方向に設けられた前記第２サブエアバッグを展開する、ようにしてもよい。
【発明の効果】
【００１４】
本発明によれば、乗員の頭部や胸部を十分に保護することで、さらなる安全性を向上させた乗員保護装置を提供することができる。
【図面の簡単な説明】
【００１５】
【図１】本発明の実施の形態における乗員保護装置を備えた車両の一部の概略を示す断面図である。
【図２】乗員保護装置の展開時の平面図および正面図である。
【図３】乗員保護装置の展開遷移を示す側面図および平面図（１／２）である。
【図４】乗員保護装置の展開遷移を示す側面図および平面図（２／２）である。
【図５】乗員保護装置の変形例を示す側面図および平面図および正面図である。
【発明を実施するための形態】
【００１６】
以下、本発明の実施の形態について、図面を参照して説明する。
図１は、乗員保護装置を備えた車両の一部の概略を示す断面図である。
図２（Ａ−１）は、第１の衝突形態におけるニーエアバッグ装置１２０の展開時の平面図であり、図２（Ａ−２）は、第２の衝突形態におけるニーエアバッグ装置１２０の展開時の平面図であり、図２（Ｂ−１）は、上体エアバッグ装置１１０の展開時の平面図であり、図２（Ｂ−２）は、上体エアバッグ装置１１０の展開時の正面図である。
図３（Ａ−１）は、乗員保護装置の非展開時の側面図であり、図３（Ａ−２）は、乗員保護装置の非展開時の平面図であり、図３（Ｂ−１）は、第２の衝突形態におけるニーエアバッグ装置１２０の展開時の側面図であり、図３（Ｂ−２）は、第２の衝突形態におけるニーエアバッグ装置１２０の展開時の平面図である。
図４（Ｃ−１）は、第２の衝突形態における上体エアバッグ装置１１０およびニーエアバッグ装置１２０の展開時の側面図であり、図４（Ｃ−２）は、第２の衝突形態における上体エアバッグ装置１１０およびニーエアバッグ装置１２０の展開時の平面図であり、図４（Ｄ−１）は、第２の衝突形態における上体エアバッグ装置１１０およびニーエアバッグ装置１２０の展開時の側面図（特に、乗員との位置関係を示す）であり、図４（Ｄ−２）は、第２の衝突形態における上体エアバッグ装置１１０およびニーエアバッグ装置１２０の展開時の平面図（特に、乗員との位置関係を示す）である。
図５（Ａ−１）、（Ｂ−１）、（Ｃ−１）は、第１の衝突形態における上体エアバッグ装置１１０およびニーエアバッグ装置１２０の展開時を示す側面図、平面図、正面図であり、図５（Ａ−２）、（Ｂ−２）、（Ｃ−２）は、第２の衝突形態における上体エアバッグ装置１１０およびニーエアバッグ装置１２０の展開時の変形例を示す側面図、平面図、正面図である。
【００１７】
なお、本実施形態において、「前」、「後」とは、乗員Ｐが後述の座席シート１０に着座した状態を基準（乗員Ｐの視点を基準）としている。
すなわち、「前」とは「車両前方」であり、「後」とは「車両後方」を指している。
また、「左」、「右」とは、車両１の側方（車幅方向）を指している。
また、「上」、「下」とは、車両１の上下方向（車高方向）を指している。
また、「Ｆ」とは衝突荷重を示し、「Ｉ」とは慣性力を示している。
【００１８】
（車両１の構成）
図１に示すように、車両１の乗員室（車室内）は、下部にアンダーフロア３、上部にルーフ４が設けられている。また、アンダーフロア３には、座席シート１０が配備されている。
【００１９】
座席シート１０は、車両１に乗車した乗員Ｐが着座するものである。また、座席シート１０は、乗員Ｐの臀部から大腿部を支えるシートクッション１１（座部）と、リクライニング可能に設けられたシートバック１２（背もたれ部）と、乗員Ｐの頭部を支えるヘッドレスト１３（ヘッド部）と、を備えている。
さらに、車両１には、乗員保護装置１０１が備えられている。
なお、以下の説明においては、助手席用の乗員保護装置１０１として説明する。
【００２０】
（乗員保護装置１０１の構成）
乗員保護装置１０１は、主に、上体エアバッグ装置１１０と、ニーエアバッグ装置１２０と、車両制御装置（以下、ＥＣＵ２０１という）と、を備えている。なお、上体エアバッグ装置１１０、および、ニーエアバッグ装置１２０は、ダッシュボード５の内部に設けられている。
さらに、ＥＣＵ２０１は、車両１の衝突および衝突予測を検知するとともに、衝突速度を検知する衝突速度検知装置の機能を備えている。
さらに、ＥＣＵ２０１は、車両１の衝突および衝突予測を検知するとともに、衝突形態（例えば、前突、斜突、側突等）を検知する衝突形態検知装置の機能を備えている。
さらに、ＥＣＵ２０１は、展開制御装置たるエアバッグ展開制御ユニット（以下、ＡＣＵという）の機能も備えている。すなわち、ＥＣＵ２０１は、エアバッグ展開装置としても機能する。なお、衝突速度検知装置およびＡＣＵは、ＥＣＵ２０１と別体で設けるようにしてもよい。
【００２１】
（上体エアバッグ装置１１０）
上体エアバッグ装置１１０は、ＥＣＵ２０１（ＡＣＵ）に制御され、乗員Ｐの頭部および胸部等を主に保護するものである。また、上体エアバッグ装置１１０は、上体インフレータ１１１（図２参照）と、上体エアバッグ袋体１１２（図２参照）と、を有している。
【００２２】
（上体インフレータ１１１）
上体インフレータ１１１は、ＥＣＵ２０１による車両１の衝突検知または衝突予測に基づく作動信号により、火薬に点火し、燃焼による化学反応でガスを発生させるものである。また、上体インフレータ１１１に発生されたガスは、上体エアバッグ袋体１１２に圧入される。
また、上体インフレータ１１１は、複数のインフレータを有し、ＥＣＵ２０１に検知された衝突速度や衝突形態に応じて、ガスを発生させるインフレータの数などを設定するようにしてもよい。また、上体インフレータ１１１は、発生させるガス量を調整できるものであって、ＥＣＵ２０１に検知された衝突速度や衝突形態に応じて、発生させるガス量を制御するようにしてもよい。
【００２３】
（上体エアバッグ袋体１１２）
上体エアバッグ袋体１１２は、上体インフレータ１１１によってガスが圧入される袋体であって、非作動時は小さく折り畳まれている。また、上体エアバッグ袋体１１２は、上体インフレータ１１１からガスが圧入されると、ダッシュボード５から座席シート１０の方向に展開し、乗員Ｐの頭部および胸部等に対する、車両１の衝突の衝撃を緩和するものである。
なお、本実施形態において、上体エアバッグ袋体１１２、後述のニーエアバッグ袋体１２２ａ〜１２２ｃが膨張展開することを、単に「展開」と記載する。
【００２４】
また、上体エアバッグ袋体１１２は、図２（Ｂ−１）に示すように、展開したときの形状が、車両１の平面視（車両平面視）で、多角形状に形成されており、乗員Ｐの頭部および胸部等を保護する乗員保護面１１２Ｃと、傾斜面１１２Ｌおよび傾斜面１１２Ｒとが形成されている。
また、図２（Ｂ−２）に示すように、展開したときの形状が、乗員Ｐ側から見て、多角形状に形成されており、傾斜面１１２Ｌの下方には、下部傾斜面１１２ｓａが形成され、傾斜面１１２Ｒの下方には、下部傾斜面１１２ｓｂが形成されている。
なお、上体エアバッグ袋体１１２がこのような形状である理由については後述する。
【００２５】
（ニーエアバッグ装置１２０）
ニーエアバッグ装置１２０は、ＥＣＵ２０１（ＡＣＵ）に制御され、乗員Ｐの脚部（例えば、膝部、脛部等）の保護を主に行うものである。また、ニーエアバッグ装置１２０は、ニーインフレータ１２１ａ〜１２１ｃ（図２参照）と、ニーエアバッグ袋体１２２ａ〜１２２ｃ（図２参照）と、を有している。
【００２６】
そして、乗員保護装置１０１が作動した時には、乗員Ｐとダッシュボード５（車載装置）との間の空間を、上体エアバッグ袋体１１２と、少なくとも１のニーエアバッグ袋体１２２ａ〜１２２ｃと、で埋めるようになっている。
なお、ＥＣＵ２０１が車両１の衝突検知または衝突予測を検知すると、まず、ニーエアバッグ装置１２０を作動させて、上記乗員Ｐとダッシュボード５（車載装置）との間の空間を埋めることで、乗員Ｐの腰部の前後方向の動きを規制する。
そして、ニーエアバッグ装置１２０の作動から、例えばコンマ数秒後に上体エアバッグ装置１１０を作動させて、腰部の前後方向の動きが規制された乗員Ｐを上体エアバッグ袋体１１２の好適な位置で保護する。
【００２７】
（ニーインフレータ１２１ａ〜１２１ｃ）
ニーインフレータ１２１ａ〜１２１ｃは、ＥＣＵ２０１による車両１の衝突検知または衝突予測に基づく作動信号により、火薬に点火し、燃焼による化学反応でガスを発生させるものである。また、ニーインフレータ１２１ａに発生されたガスは、ニーエアバッグ袋体１２２ａに圧入し、ニーインフレータ１２１ｂに発生されたガスは、ニーエアバッグ袋体１２２ｂに圧入し、ニーインフレータ１２１ｃに発生されたガスは、ニーエアバッグ袋体１２２ｃに圧入する。
【００２８】
ここで、ニーエアバッグ装置１２０は、図２に示すように、外袋体１２３の内部に、ニーエアバッグ袋体１２２ａ〜１２２ｃ（複数のサブエアバッグ）を有しており、また、外袋体１２３には、破断部１２３ａ、破断部１２３ｃが形成されている。
そして、ニーインフレータ１２１ａに発生されたガスをニーエアバッグ袋体１２２ａに圧入すると、ニーエアバッグ袋体１２２ａが展開して、破断部１２３ａを破断して、ニーエアバッグ袋体１２２ａが外袋体１２３より外部に突出する。
同様に、ニーインフレータ１２１ｃに発生されたガスをニーエアバッグ袋体１２２ｃに圧入すると、ニーエアバッグ袋体１２２ｃが展開して、破断部１２３ｃを破断して、ニーエアバッグ袋体１２２ｃが外袋体１２３より外部に突出するようになっている。
ニーエアバッグ袋体１２２ｂは、第１サブエアバッグの機能を備え、ニーエアバッグ袋体１２２ａ、ニーエアバッグ袋体１２２ｃは、第２サブエアバッグの機能を備えている。
【００２９】
なお、外袋体１２３は、あくまでニーエアバッグ袋体１２２ａ〜１２２ｃのカバー体としての役割を担い、直接インフレータで展開するものではなく、例えば、ニーエアバッグ袋体１２２ｂが展開すると、ニーエアバッグ袋体１２２ｂに押圧される形で、座席シート１０の方向に展開（間接的に展開）するようになっている。
なお、外袋体１２３は必ずしも設ける必要はなく、ニーエアバッグ袋体１２２ａ、ニーエアバッグ袋体１２２ｂ、ニーエアバッグ袋体１２２ｃが露出していてもよい。
【００３０】
（ニーエアバッグ袋体１２２ａ〜１２２ｃ）
ニーエアバッグ袋体１２２ａ〜１２２ｃは、ニーインフレータ１２１ａ〜１２１ｃによってガスが圧入される袋体であって、非作動時は小さく折り畳まれている。また、ニーエアバッグ袋体１２２ａ〜１２２ｃは、ニーインフレータ１２１ａ〜１２１ｃからガスが圧入されると、ダッシュボード５から座席シート１０の方向に展開する。
【００３１】
ニーエアバッグ装置１２０は、衝突形態により、展開するニーエアバッグ袋体が異なっている。
例えば、第１の衝突形態であれば、ニーエアバッグ袋体１２２ｂのみを展開させて、ニーエアバッグ袋体１２２ａ、およびニーエアバッグ袋体１２２ｃは展開しない。
一方で、例えば、第２の衝突形態であれば、ニーエアバッグ袋体１２２ｂを展開させて、さらに、衝突方向に応じて、ニーエアバッグ袋体１２２ａ、または、ニーエアバッグ袋体１２２ｃを展開する。
なお、本実施形態では、第１の衝突形態は「前突」であり、第２の衝突形態は「斜突（斜め衝突）」である。
また、第１の衝突形態である「前突」では、例えば、図２（Ａ−１）の矢印「Ｆ」で示す衝突荷重が作用する。一方、第２の衝突形態である「斜突」では、図２（Ａ−２）の矢印「Ｆ」で示す衝突荷重が作用する。すなわち、第２の衝突形態である「斜突」では、第１の衝突形態である「前突」よりも車幅方向外側に衝突荷重が作用することになる。
【００３２】
なお、第１の衝突形態であれば、図２（Ａ−１）で示すように、ニーエアバッグ袋体１２２ｂが乗員Ｐの脚部を保護し、第２の衝突形態であれば、図２（Ａ−２）で示すように、ニーエアバッグ袋体１２２ｂと、ニーエアバッグ袋体１２２ａまたはニーエアバッグ袋体１２２ｃとによって、乗員Ｐの脚部を保護（例えば、ニーエアバッグ袋体１２２ｂによって乗員Ｐの膝部および脛部の前を保護し、ニーエアバッグ袋体１２２ｃによって乗員Ｐの膝部の上を保護）する。
【００３３】
（ＥＣＵ２０１）
ＥＣＵ２０１は、車両１全体を制御するためものである。また、ＥＣＵ２０１は、中央演算処理装置としてのＣＰＵ（Central Processing Unit）、ＣＰＵにより実行される制御プログラム、データテーブル、各コマンドやデータ等の記憶を行うＲＯＭ（Read Only Memory）、一時的にデータを記憶するＲＡＭ（Random Access Memory）、書き換え可能な不揮発性のメモリからなるＥＥＰＲＯＭ（Electrically Erasable and Programmable Read Only Memory）および入出力インターフェース回路を備え、車両１の制御を統括するようになっている。
【００３４】
また、ＥＣＵ２０１は、加速度センサ（Ｇセンサ）、距離センサ、衝撃センサ（圧力センサ）等による情報から衝突予測および衝突判定を行い、衝突速度を検知する。すなわち、ＥＣＵ２０１は、衝突速度検知装置として機能する。
なお、加速度センサ、距離センサ、衝撃センサ等は、ＥＣＵ２０１とは別装置として、外部に設けたものであってもよい。また、これらセンサ等から入力する情報を、車載カメラ５０から入力した画像データに基づいて、取得するものであってもよい。
【００３５】
また、ＥＣＵ２０１は、車外撮影用カメラ、ミリ波レーダ、ハンドル角センサ等による情報から衝突予測および衝突判定を行い、衝突形態（例えば、第１の衝突形態であるか第２の衝突形態であるか）および衝突方向（例えば、第１の衝突方向であるか第２の衝突方向であるか）を検知する。すなわち、ＥＣＵ２０１は、衝突形態検知装置として機能する。
【００３６】
また、ＥＣＵ２０１は、検知した衝突形態および衝突方向に基づいて、展開するニーエアバッグ袋体１２２ａ〜１２２ｃを決定する。
すなわち、第１の衝突形態であれば、ニーエアバッグ袋体１２２ｂのみを展開することを決定し、第２の衝突形態であって、第１の衝突方向であれば、ニーエアバッグ袋体１２２ｂと、ニーエアバッグ袋体１２２ｃとを展開することを決定し、第２の衝突形態であって、第２の衝突方向であれば、ニーエアバッグ袋体１２２ｂと、ニーエアバッグ袋体１２２ａとを展開することを決定する。
なお、本実施形態において、第１の衝突方向とは車両１の「右前方」であり、第２の衝突方向とは車両１の「左前方」である。
【００３７】
また、ＥＣＵ２０１は、衝突判定、衝突予測、衝突速度、衝突形態および衝突方向等に基づいて、上体エアバッグ装置１１０の上体インフレータ１１１、および決定した展開するニーエアバッグ袋体１２２ａ〜１２２ｃおよび対応するニーインフレータ１２１ａ〜１２１ｃを作動させ、それぞれ上体エアバッグ袋体１１２、ニーエアバッグ袋体１２２ａ〜１２２ｃを展開させる。すなわち、ＥＣＵ２０１は、展開制御装置として機能する。
【００３８】
なお、その他の構成として、シートベルト装置３０と、乗員姿勢矯正装置４０と、車載カメラ５０とを備えており、これらの構成も直接的または間接的に乗員Ｐを保護する機能を担っている。
【００３９】
（シートベルト装置３０）
シートベルト装置３０は、ウェビング３１と、図示しないリトラクターと、ラップアンカーと、ショルダーアンカーと、タングと、バックルと、を備えている。
ウェビング３１は、帯状のベルトであり、一端が座席シート１０の下部に設けられたラップアンカーに固定され、他端がシートバック１２の上部に設けられたショルダーアンカーを介して、シートバック１２の内部に設けられたリトラクターに巻き取られている。
【００４０】
タングは、バックルと連結するためのＴ字型の連結金具である。また、タングには、挿通用孔が設けられ、ウェビング３１が挿通されており、ウェビング３１に対して摺動自在に設けられている。
バックルは、タングを着脱する結合部品であり、座席シート１０のシートクッション１１の車幅方向内側（車両中央側）に設けられている。
【００４１】
また、シートベルト装置３０は、衝撃を感知すると、リトラクターがウェビング３１を巻き込み、乗員Ｐを座席シート１０（シートバック１２側）に引き込むようになっている。さらに、シートベルト装置３０は、ＥＣＵ２０１が衝突予測を検知した場合にも、リトラクターがウェビング３１を巻き込むようになっている。
なお、シートベルト装置３０は、ＥＣＵ２０１が検知した衝突速度や衝突形態によって、リトラクターがウェビング３１を巻き込む強さを切り替えるようにしてもよい。また、本実施の形態のシートベルト装置３０は、座席シート１０と一体となったものとしたが、これに限らず、ラップアンカーがサイドシルの側壁面に固定されたものであったり、ショルダーアンカーがセンターピラーの側壁に設けられたものであったり、リトラクターがセンターピラーの内部に設けられたもの等であってもよい。
【００４２】
（乗員姿勢矯正装置４０）
乗員姿勢矯正装置４０は、ＥＣＵ２０１が衝突予測を検知した際に、乗員Ｐの姿勢を所定の姿勢に正すため、シートバック１２の角度を変更するものである。また、乗員姿勢矯正装置４０は、ＥＣＵ２０１が衝突予測を検知した際に、シートクッション１１の角度を変更するものであってもよい。また、乗員姿勢矯正装置４０は、ＥＣＵ２０１が衝突予測を検知した際に、シートバック１２およびシートクッション１１の双方の角度を変更するものであってもよい。
【００４３】
さらに、乗員姿勢矯正装置４０は、シートバック１２の中に複数のエアバッグを設け、ＥＣＵ２０１が衝突予測を検知した際に、所定のエアバッグを展開し、乗員Ｐの姿勢を矯正するものであってもよい。
さらに、乗員姿勢矯正装置４０は、座席シート１０に設けるものではなく、車両１の前方や側方などから、所定のエアバッグ等を展開して、乗員Ｐの姿勢を所定の姿勢に矯正するものであってもよい。なお、乗員の姿勢矯正は、エアバッグやシートの角度を調整するもの以外であってもよい。
【００４４】
（車載カメラ５０）
車載カメラ５０は、座席シート１０に着座した乗員Ｐの着座状態、例えば、乗員Ｐの姿勢を検知するものである。すなわち、車載カメラ５０は、乗員姿勢検知装置として機能する。
例えば、ＥＣＵ２０１は、上述した衝突形態および衝突方向に加えて、車載カメラ５０から取得した情報（例えば、乗員Ｐの着座状態）を含めて、展開するニーエアバッグ袋体１２２を決定するようにしてもよい。
なお、乗員姿勢検知装置は、車載カメラ５０を用いるものに限らず、例えば、座席シート１０に圧力センサを用いて乗員Ｐの姿勢を検知するもの等であってもよい。
また、車載カメラ５０は、座席シート１０に着座する乗員Ｐの位置、例えば、座席シート１０の位置を検知するものであってもよい。すなわち、車載カメラ５０を、乗員位置検知装置として機能させるものであってもよい。
【００４５】
また、車載カメラ５０は、乗員Ｐを含む乗員室内の撮影のみを行うものであって、撮影した画像データをＥＣＵ２０１に出力し、乗員Ｐの姿勢や、着座位置は、ＥＣＵ２０１が検出するものであってもよい。
なお、車載カメラ５０は、車両１の周辺状況や車両１の車室内を撮影し、車両１に衝撃が加わったとき等にその映像を利用するドライブレコーダ等のカメラと兼用するものであってもよい。
【００４６】
（乗員保護装置１０１の展開形態）
次に、乗員保護装置１０１の展開形態について、図２を用いて説明する。
【００４７】
はじめに、図２（Ａ−１）は、第１の衝突形態におけるニーエアバッグ装置１２０の展開時の平面図である。
第１の衝突形態である場合、ＥＣＵ２０１は、ニーインフレータ１２１ｂを作動させて、ニーインフレータ１２１ｂに発生されたガスをニーエアバッグ袋体１２２ｂに圧入させる。
一方、第１の衝突形態である場合、ＥＣＵ２０１は、ニーインフレータ１２１ａ、ニーインフレータ１２１ｃは作動させない。
これにより、ニーエアバッグ袋体１２２ｂのみが、ダッシュボード５から座席シート１０の方向に展開する。
そして、ニーエアバッグ袋体１２２ｂにより、乗員Ｐの脚部を保護する。
なお、図２（Ａ−１）で示す展開形態が、「第１の展開形態」を構成する。
【００４８】
次に、図２（Ａ−２）は、第２の衝突形態におけるニーエアバッグ装置１２０の展開時の平面図である。
なお、図２（Ａ−２）は、ＥＣＵ２０１により、第２の衝突形態であって、第１の衝突方向が検知されたと仮定している。
第２の衝突形態であって、第１の衝突方向である場合、ＥＣＵ２０１は、ニーインフレータ１２１ｂを作動させて、ニーインフレータ１２１ｂに発生されたガスをニーエアバッグ袋体１２２ｂに圧入させ、さらに、ニーインフレータ１２１ｃを作動させて、ニーインフレータ１２１ｃに発生されたガスをニーエアバッグ袋体１２２ｃに圧入させる。
これにより、ニーエアバッグ袋体１２２ｂが、ダッシュボード５から座席シート１０の方向に展開し、ニーエアバッグ袋体１２２ｃが、ダッシュボード５から座席シート１０の方向に展開し破断部１２３ｃを破断して外袋体１２３より外部に突出する。
なお、ニーエアバッグ袋体１２２ｃは、外袋体１２３より外部に突出する部分に、上方に突出する「上方突出部１２２Ｔ」を有し、さらに「上方突出部１２２Ｔ」の一部または全部には、前方から後方に向かって内側方向（ニーエアバッグ装置１２０における内側方向）に傾斜する「傾斜部１２２Ｓ」を有している。
【００４９】
図２（Ａ−２）では記載を省略しているが、第２の衝突形態であって、第２の衝突方向が検知されたと仮定した場合は、ニーエアバッグ袋体１２２ａが、ダッシュボード５から座席シート１０の方向に展開し、破断部１２３ａを破断して外袋体１２３より外部に突出することになる。
なお、図２（Ａ−２）で示す展開形態が、「第２の展開形態」を構成する。
また、ニーエアバッグ袋体１２２ａは、ニーエアバッグ袋体１２２ｃ同様、外袋体１２３より外部に突出する部分に、上方に突出する「上方突出部１２２Ｔ」を有し、さらに「上方突出部１２２Ｔ」の一部または全部には、前方から後方に向かって内側方向（ニーエアバッグ装置１２０における内側方向）に傾斜する「傾斜部１２２Ｓ」を有している。
ニーエアバッグ袋体１２２ａおよびニーエアバッグ袋体１２２ｃの「傾斜部１２２Ｓ」の作用については後述する。
【００５０】
次に、図２（Ｂ−１）は、上体エアバッグ装置１１０の展開時の平面図であり、図２（Ｂ−２）は、上体エアバッグ装置１１０の展開時の正面図（乗員Ｐ側から見た図）である。
上体エアバッグ装置１１０は、第１の衝突形態であっても、第２の衝突形態であっても、図２（Ｂ−１）、（Ｂ−２）で示すように上体エアバッグ袋体１１２を展開する。また、第２の衝突形態であって、第１の衝突方向、第２の衝突方向のいずれの衝突方向であっても、図２（Ｂ−１）、（Ｂ−２）で示すように上体エアバッグ袋体１１２を展開する。
すなわち、ニーエアバッグ装置１２０は、ニーエアバッグ袋体１２２ｂのみを展開する場合と、ニーエアバッグ袋体１２２ｂおよびニーエアバッグ袋体１２２ａを展開する場合と、ニーエアバッグ袋体１２２ｂおよびニーエアバッグ袋体１２２ｃを展開する場合とを有しているが、上体エアバッグ装置１１０は、上体エアバッグ袋体１１２を展開する場合のみを有している。
【００５１】
（乗員保護装置１０１の動作遷移）
次に、乗員保護装置１０１の動作遷移について、図３、図４を用いて説明する。
【００５２】
はじめに、図３（Ａ−１）、（Ａ−２）は、いずれの衝突形態も生じていない状態の側面図および平面図を示している。この状態では、上体エアバッグ装置１１０、ニーエアバッグ装置１２０ともに非展開である。
そして、この後、ＥＣＵ２０１により、第２の衝突形態であって、第１の衝突方向が検知された、と仮定する。
【００５３】
次に、図３（Ｂ−１）、（Ｂ−２）は、ＥＣＵ２０１により、第２の衝突形態であって、第１の衝突方向が検知されたことにより、ニーエアバッグ装置１２０を展開した状態の側面図および平面図を示している。具体的には、ニーエアバッグ袋体１２２ｂおよびニーエアバッグ袋体１２２ｃを展開しており、ニーエアバッグ袋体１２２ｃにおいては、図３（Ｂ−１）に示すように、「上方突出部１２２Ｔ」が上方向に突出している。
また、第１の衝突方向が検知された、と仮定しているので、図中、（Ｆ）で示す衝突荷重、（Ｉ）で示す慣性力が作用している。
【００５４】
次に、図４（Ｃ−１）、（Ｃ−２）は、さらに、上体エアバッグ装置１１０を展開した状態の側面図および平面図を示している。ここで、上体エアバッグ袋体１１２は、乗員Ｐ側に展開すると、図４（Ｃ−２）で示すように、まず、上体エアバッグ袋体１１２の傾斜面１１２Ｌが、ニーエアバッグ袋体１２２ｃの「傾斜部１２２Ｓ」に当接する。
そして、上体エアバッグ袋体１１２の傾斜面１１２Ｌが、ニーエアバッグ袋体１２２ｃの「傾斜部１２２Ｓ」に当接すると、上体エアバッグ袋体１１２の展開方向と、上体エアバッグ袋体１１２の傾斜面１１２Ｌとの形状と、ニーエアバッグ袋体１２２ｃの「傾斜部１２２Ｓ」の形状との関係から、上体エアバッグ袋体１１２の傾斜面１１２Ｌと、ニーエアバッグ袋体１２２ｃの「傾斜部１２２Ｓ」とが摺接しつつ、上体エアバッグ袋体１１２が車両１内側方向（図４（Ｃ−２）で示す「右」）に移動することになる。
すなわち、展開したニーエアバッグ袋体１２２ｃで上体エアバッグ袋体１１２を衝突荷重が作用する方向（右方）に誘導させることになる。
また、車幅方向において、衝突荷重が作用する方向（右方）とは逆方向（例えば、左方）に設けられたニーエアバッグ袋体１２２ｃを展開することになる。
このとき、上体エアバッグ袋体１１２において傾斜面（傾斜面１１２Ｌ）が形成され、ニーエアバッグ袋体１２２ｃにおいても傾斜面（傾斜部１２２Ｓ）が形成されていることから、より速やかに上体エアバッグ袋体１１２を車両１内側方向（図４（Ｃ−２）で示す「右」）に移動させることができるようになっている。
【００５５】
次に、図４（Ｄ−１）、（Ｄ−２）は、乗員Ｐの頭部および胸部が上体エアバッグ装置１１０により保護された状態の側面図および平面図を示している。まず、図４（Ｄ−２）の破線は、特に、ニーエアバッグ袋体１２２ｃを展開させなかった場合の上体エアバッグ袋体１１２の展開位置を示しており、この場合、乗員Ｐの頭部および胸部は、上体エアバッグ袋体１１２の乗員保護面１１２Ｃの端部に当接することになり、乗員保護面１１２Ｃの好適な位置で乗員Ｐの頭部および胸部を保護することができない。
これに対して、ニーエアバッグ袋体１２２ｃを展開させ、ニーエアバッグ袋体１２２ｃの「上方突出部１２２Ｔ」にて上体エアバッグ袋体１１２を車両１内側方向（図４（Ｃ−２）で示す「右」）に移動させることで、図４（Ｄ−２）の太線で示すように、上体エアバッグ袋体１１２の乗員保護面１１２Ｃの中央にて、乗員Ｐの頭部および胸部を保護することができる。
【００５６】
このように、第２の衝突形態が生じた場合、衝突方向に応じたニーエアバッグ袋体を展開させて、当該展開させたニーエアバッグ袋体にて乗員Ｐの脚部を保護しつつ、さらに、展開させたニーエアバッグ袋体の「上方突出部１２２Ｔ」にて上体エアバッグ袋体１１２を衝突荷重が作用する方向に移動させることで、乗員保護面１１２Ｃの好適な位置で乗員Ｐの頭部および胸部を保護することができる。
また、上体エアバッグ袋体１１２が多角形状に形成されていて、図４（Ｃ−２）の例では、上体エアバッグ袋体１１２の傾斜面１１２Ｌと、ニーエアバッグ袋体１２２ｃの「傾斜部１２２Ｓ」とを摺接させることで、上体エアバッグ袋体１１２を速やかに車両１内側方向（図４（Ｃ−２）で示す「右」）に移動させることができるので、例えば、慣性力による乗員Ｐの移動速度が速い場合でも、乗員保護面１１２Ｃの好適な位置で乗員Ｐの頭部および胸部を保護することができる。
【００５７】
（ニーエアバッグ袋体の変形例）
次に、ニーエアバッグ袋体の変形例について、図５を用いて説明する。
【００５８】
図５（Ａ−１）、（Ｂ−１）、（Ｃ−１）は、第１の衝突形態を示しており、上述したように、ニーエアバッグ装置１２０は、ニーエアバッグ袋体１２２ｂのみが展開し、その上方において、上体エアバッグ装置１１０の上体エアバッグ袋体１１２が展開することになる。なお、ニーエアバッグ袋体１２２ａおよびニーエアバッグ袋体１２２ｃは非展開であるため、「上方突出部１２２Ｔ」が突出していないことから、上体エアバッグ袋体１１２は、後方に真っ直ぐ展開することとなる。
【００５９】
これに対して、図５（Ａ−２）、（Ｂ−２）、（Ｃ−２）は、第２の衝突形態であって、第１の衝突方向が検知されたと仮定しており、特に、上述した「上方突出部１２２Ｔ」を備えず、代わりに「後方突出部１２２Ｚ」を備えた点が異なっている。
すなわち、上述した実施形態では「上方突出部１２２Ｔ」にて、上体エアバッグ袋体１１２を衝突荷重が作用する方向に移動させるようにしたが、本変形例で示すように、車両１の前後方向に展開する「後方突出部１２２Ｚ」を備えたとしても、「上方突出部１２２Ｔ」を備えた場合と同様の効果が期待できる。
【００６０】
具体的には、図５（Ａ−２）で示すように、ニーエアバッグ袋体１２２ｃの「後方突出部１２２Ｚ」は、車両１前後方向に沿って展開する。そして、図５（Ｂ−２）、（Ｃ−２）で示すように、上方の上体エアバッグ袋体１１２が展開すると、特に、上体エアバッグ袋体１１２の下部傾斜面１１２ｓａが「後方突出部１２２Ｚ」に乗り上げて、さらに、乗り上げた後に、上体エアバッグ袋体１１２が車両１内側方向（図５（Ｃ−２）で示す「右」）に移動することになる。
すなわち、ニーエアバッグ袋体を上方に展開せずに後方に展開しても、上体エアバッグ袋体１１２を衝突荷重が作用する方向に移動させることができるので、乗員保護面１１２Ｃの好適な位置で乗員Ｐの頭部および胸部を保護することができる。
なお、「後方突出部１２２Ｚ」の一部または全部においても、「上方突出部１２２Ｔ」に形成した「傾斜部１２２Ｓ」を有してもよい。これにより、「上方突出部１２２Ｔ」に形成した「傾斜部１２２Ｓ」と同様の作用効果が得られる。
【００６１】
以上、本実施形態について説明したが、上述した内容に限定されず、以下のように適宜変更してもよい。
【００６２】
本実施形態において、上体エアバッグ袋体１１２を多角形状に形成したが、形状はこれに限られない。例えば、円形状でもよい。
【００６３】
本実施形態において、傾斜面１１２Ｌ、傾斜面１１２Ｒは、ニーエアバッグ袋体１２２ａ、またはニーエアバッグ袋体１２２ｃに当接する面としたが、傾斜面１１２Ｌ、傾斜面１１２Ｒの機能はこれに限らず、傾斜面１１２Ｌ、傾斜面１１２Ｒが、乗員Ｐの頭部および胸部等を保護する機能を備えていてもよい。
【００６４】
本実施形態において、ニーエアバッグ袋体１２２ａ〜１２２ｃは、車両１の前方から展開することとしたが、これに限られない。例えば、車幅方向から展開するようにしてもよい。
【００６５】
本実施形態において、ニーエアバッグ袋体１２２ａ、１２２ｃにおいて、「上方突出部１２２Ｔ」、「後方突出部１２２Ｚ」の一部または全部に傾斜部１２２Ｓを設ける形状としたが、「上方突出部１２２Ｔ」、「後方突出部１２２Ｚ」の形状はこれに限られない。例えば、傾斜部１２２Ｓを設けなくてもよい。
【００６６】
本実施形態において、ニーエアバッグ袋体１２２ａ〜１２２ｃのそれぞれに対して、ニーインフレータ１２１ａ〜１２１ｃを備えたが、インフレータは単一としてもよい。この場合、例えば、切換え弁を設けて、展開するニーエアバッグ袋体に対応する切換え弁を開放して、展開しないニーエアバッグ袋体に対応する切換え弁を閉鎖するようにすればよい。
【００６７】
本実施形態において、第１の衝突形態では、ニーエアバッグ袋体１２２ｂのみを展開することとしたが、ニーエアバッグ袋体１２２ｂに加えて、ニーエアバッグ袋体１２２ａ、ニーエアバッグ袋体１２２ｃのいずれか一方、または両方を展開するようにしてもよい。
【００６８】
本実施形態において、第２の衝突形態では、ニーエアバッグ袋体１２２ｂと、ニーエアバッグ袋体１２２ａ、ニーエアバッグ袋体１２２ｃのいずれか一方とを展開することとしたが、ニーエアバッグ袋体１２２ｂと、ニーエアバッグ袋体１２２ａ、ニーエアバッグ袋体１２２ｃの両方とを展開するようにしてもよい。
【００６９】
本実施形態において、第２の衝突形態として、斜突を例に説明したが、他の衝突形態であってもよい。例えば、側突でもよい。
【００７０】
本実施形態において、助手席用の乗員保護装置１０１として説明を行ったが、運転席用の乗員保護装置においても同様のことを適用してよいし、後部座席用の乗員保護装置においても同様のことを適用してよい。
【００７１】
なお、本実施形態において、上体エアバッグ袋体１１２は、本願の第１エアバッグを構成し、ニーエアバッグ袋体１２２ａ〜１２２ｃは、本願の第２エアバッグを構成し、ＥＣＵ２０１は、本願の衝突形態検知装置を構成する。
また、本実施形態において、ニーエアバッグ袋体１２２ｂは、本願の第１サブエアバッグを構成し、ニーエアバッグ袋体１２２ａ、１２２ｃは、本願の第２サブエアバッグを構成し、上方突出部１２２Ｔは、本願の上方突出部を構成し、後方突出部１２２Ｚは、本願の後方突出部を構成し、傾斜部１２２Ｓは、本願の傾斜部を構成する。
【符号の説明】
【００７２】
１：車両、１１０：上体エアバッグ装置、１１２：上体エアバッグ袋体、１２０：ニーエアバッグ装置、１２２ａ〜１２２ｃ：ニーエアバッグ袋体、２０１：ＥＣＵ
【図１】
2020152300.tif 000003
【図２】
2020152300.tif 000004
【図３】
2020152300.tif 000005
【図４】
2020152300.tif 000006
【図５】
2020152300.tif 000007